(57)【要約】  ベースユニット（１）と、第１の送電部（１０３）から供給される電力を受ける受電部（２０１）を有する１つまたは複数の通電モジュールを含み、ベースユニット（１）上に再配置可能に設置される複数のモジュール（２）とを備えた。
2019069348.tif 000002
【特許請求の範囲】
【請求項１】
ベースユニットと、
第１の送電部から供給される電力を受ける受電部を有する１つまたは複数の通電モジュールを含み、前記ベースユニット上に再配置可能に設置される複数のモジュール
とを備えた電子機器。
【請求項２】
前記ベースユニットは、前記第１の送電部を有する
ことを特徴とする請求項１記載の電子機器。
【請求項３】
前記受電部は、
前記第１の送電部から供給される電力を非接触で受ける
ことを特徴とする請求項１記載の電子機器。
【請求項４】
前記第１の送電部は、前記ベースユニット上に設置されているすべての前記通電モジュールに対して非接触で電力を供給する
ことを特徴とする請求項１記載の電子機器。
【請求項５】
前記複数のモジュールは、当該複数のモジュールのうち、一つのモジュールが他のモジュール上に再配置可能に設置され、
前記通電モジュールは第２の送電部を有し、
前記第１の送電部は、前記ベースユニット上に設置されている前記複数のモジュールのうち、当該ベースユニットと接する通電モジュールである対面通電モジュールに対して非接触で電力を供給し、
前記対面通電モジュールは、前記第１の送電部からの電力を受けると、当該対面通電モジュールと隣接する通電モジュールに対して非接触で電力を供給し、
電力を受けた通電モジュールは、当該電力を受けた通電モジュールと隣接する、電力が供給されていない通電モジュールに対して、非接触で電力を供給する
ことを特徴とする請求項１記載の電子機器。
【請求項６】
前記第１の送電部は、構造物の内部に設けられる
ことを特徴とする請求項１記載の電子機器。
【請求項７】
前記第１の送電部は、前記ベースユニット上において前記複数のモジュールと対向する位置に設けられた給電装置が有する
ことを特徴とする請求項１記載の電子機器。
【請求項８】
前記ベースユニットおよび前記複数のモジュールは、直方体となる形状を有する
ことを特徴とする請求項１記載の電子機器。
【請求項９】
前記ベースユニットおよび前記複数のモジュールは、それぞれ、背面にベースユニット側接続部およびモジュール側接続部を有し、
前記複数のモジュールは、前記ベースユニット側接続部と前記モジュール側接続部とが、接続補助部材によって接続されることで前記ベースユニット上に設置される
ことを特徴とする請求項１記載の電子機器。
【請求項１０】
前記ベースユニットは、前記複数のモジュールのうちの１つまたは複数の前記通電モジュールの動作を制御する制御命令を受け付ける受付部と、前記受付部が受け付けた制御命令に基づき前記通電モジュールの動作を制御する要求処理部とを有し、
前記通電モジュールは、前記要求処理部の制御に基づく動作を実行する動作処理部を有する
ことを特徴とする請求項１記載の電子機器。
【請求項１１】
前記通電モジュールは、前記ベースユニットに対して当該通電モジュール自身の状態に関する情報を送信する情報送信部を有し、
前記ベースユニットは、前記情報送信部から送信された、前記通電モジュールの状態に関する情報を、表示部に表示させる情報処理部を有する
ことを特徴とする請求項１０記載の電子機器。
【請求項１２】
前記受付部は、外部端末からネットワークを介して前記制御命令を受け付ける
ことを特徴とする請求項１０記載の電子機器。
【請求項１３】
第１の送電部から供給される電力を受ける受電部を有する１つまたは複数の通電モジュールを含む複数のモジュールを再配置可能なベースユニット。
【発明の詳細な説明】
【技術分野】
【０００１】
この発明は、複数のモジュールを備えた電子機器に関するものである。
【背景技術】
【０００２】
浴室内に、テレビ、音楽再生機器またはスマートフォン等を持ち込んで入浴時間を娯楽または休息の時間として楽しむ等、ある空間に複数の機器等を持ち込むことによって、当該空間における快適性を向上させたいというユーザの要望がある。【０００３】
一方、特許文献１には、電力供給部と、当該電力供給部に結合され、無線で電力を供給するように構成された複数の遠隔無線電力供給部とを備え、当該遠隔無線電力供給部から複数の遠隔装置に無線で電力を供給できるようにした無線配電システムが開示されている。
【先行技術文献】
【特許文献】
【０００４】
【特許文献１】特表２０１３−５０２８７５号公報
【発明の概要】
【発明が解決しようとする課題】
【０００５】
従来、ある空間に複数の機器等を持ち込んで使用しようとした場合に、給電手段の制約または設置スペースの制約等により、ユーザは、所望の複数の機器等を設置することができない場合があるという課題があった。特許文献１に開示された無線配電システムも、このような課題が考慮されたものではなかった。【０００６】
この発明は、上記のような課題を解決するためになされたもので、ある空間で使用される複数の機器を、自由に追加変更可能とする電子機器を提供することを目的とする。
【課題を解決するための手段】
【０００７】
この発明に係る電子機器は、ベースユニットと、第１の送電部から供給される電力を受ける受電部を有する１つまたは複数の通電モジュールを含み、ベースユニット上に再配置可能に設置される複数のモジュールとを備えたものである。
【発明の効果】
【０００８】
この発明によれば、ある空間で使用される複数の機器を、自由に追加変更可能とすることができる。
【図面の簡単な説明】
【０００９】
【図１】実施の形態１の電子機器の外観の一例を示す図である。
【図２】実施の形態１において、ベースユニット上へのモジュールの具体的な設置方法の一例について説明するための図である。
【図３】実施の形態１の電子機器を備える通信システムのネットワーク構成例を示す図である。
【図４】実施の形態１の電子機器が備えるベースユニットの構成例を示す図である。
【図５】実施の形態１の電子機器が備える通電モジュールの構成例を示す図である。
【図６】実施の形態１において、通電モジュールが本体と動作ユニットとを有する場合の、通電モジュールの構成例を示す図である。
【図７】実施の形態１において、ベースユニットと各通電モジュールとの通信が開始されるまでの動作を説明するためのフローチャートである。
【図８】実施の形態１において、ベースユニットの送電部が、ベースユニット上に設置されたすべての通電モジュールに対して非接触で電力を供給する方法のイメージの一例を示す図である。
【図９】実施の形態１において、ベースユニットの送電部から、ベースユニット上に設置された通電モジュールに対して、数珠繋ぎで電力を供給する方法のイメージの一例を示す図である。
【図１０】実施の形態１において、壁の内部に埋め込まれた給電装置が、ベースユニット上に設置された通電モジュールに対して非接触で電力を供給する方法のイメージの一例を示す図である。
【図１１】実施の形態１において、ベースユニットと一体形成された給電装置が、ベースユニット上に設置された通電モジュールに対して非接触で電力を供給する方法のイメージの一例を示す図である。
【図１２】実施の形態１において、ベースユニットが、各通電モジュールを制御する動作について説明するためのフローチャートである。
【図１３】実施の形態１において、ベースユニットが、各通電モジュールの状態に関する情報を取得し、ユーザに提供する動作について説明するためのフローチャートである。
【図１４】図１４Ａ，図１４Ｂは、この発明の実施の形態１に係るベースユニットのハードウェア構成の一例を示す図である。
【図１５】図１５Ａ，図１５Ｂは、この発明の実施の形態１に係る通電モジュールのハードウェア構成の一例を示す図である。
【発明を実施するための形態】
【００１０】
以下、この発明をより詳細に説明するために、この発明を実施するための形態について、添付の図面に従って説明する。
実施の形態１．
以下の実施の形態１では、一例として、電子機器は、住宅の浴室内で使用される電子機器とする。
浴室内で使用される電子機器としては、浴槽のお湯張りまたは追い炊き等を一元的に行うことができる給湯器の動作を制御する給湯器用コントローラの他、それぞれ防水機能を有する、テレビ、音楽再生機器またはアロマディフューザ等が考えられる。
実施の形態１の電子機器は、例えば、給湯器の制御機能に加えて、上述のような娯楽または休息のための機器等の機能も有することができる電子機器である。
【００１１】
図１は、実施の形態１の電子機器１０の外観の一例を示す図である。なお、図１では、電子機器１０の斜視図を示している。
実施の形態１では、電子機器１０は、浴室の壁面に設置されるものとする。これは一例に過ぎず、電子機器１０は、例えば、浴槽部分に載置されるようにしてもよい。
【００１２】
電子機器１０は、ベースユニット１と、１つまたは複数のモジュール２を備える。
モジュール２は、ベースユニット１上に、再配置可能に設置される。実施の形態１において、モジュール２は、電力によって動作する電気機器、または、電力によって動作する機能を有しない構造物等、あらゆる部品を含む。
図１では、一例として、ベースユニット１上に７つのモジュール２が組み上げられて設置された電子機器１０を示している。７つのモジュール２は、それぞれ、プロジェクタ２ａ、棚２ｂ、照明２ｃ，２ｄ、インテリア木片２ｅ、アロマディフューザ２ｆ、および、空気質センサ２ｇである。
【００１３】
なお、図１に示した電子機器１０は、ベースユニット１上に、合計７つのモジュール２が組み上げられて設置されているものとしているが、これは一例に過ぎない。また、図１に示す各モジュール２の種類も配置も、一例に過ぎない。
ユーザは、ベースユニット１上において、１つ以上のモジュール２の自由な取り付け、取り外し、または、設置位置の変更を行うことができる。ベースユニット１上へのモジュール２の設置方法については後述する。
なお、ベースユニット１は、モジュール２が設置される面において、正面から見て前後方向および左右方向に、モジュール２が設置され得る幅を有する。
また、図１に示すように、ベースユニット１および各モジュール２は、立体であり、直方体の形状を有する。なお、実施の形態１において、直方体とは、その形状が厳密な直方体であることに限らず、略直方体も含む。
【００１４】
実施の形態１において、ベースユニット１は、従来の給湯器用コントローラと同様に、給湯器制御機能を有する。また、ベースユニット１は、給湯器制御機能に加え、各モジュール２のうち、電力によって動作するモジュールへ電力を供給する機能、および、当該モジュールの制御を行う機能を有する。
すなわち、図１でいうと、ベースユニット１は、給湯器制御機能を有する他、プロジェクタ２ａ、照明２ｃ、アロマディフューザ２ｆ、および、空気質センサ２ｇへ電力を供給する機能と、プロジェクタ２ａ、照明２ｃ、アロマディフューザ２ｆ、および、空気質センサ２ｇの制御を行う機能を有する。
以下、実施の形態１において、プロジェクタ２ａ、照明２ｃ、アロマディフューザ２ｆ、および、空気質センサ２ｇのように、電力によって動作するモジュール２を、通電モジュールともいうものとする。
ベースユニット１および通電モジュールの具体的な構成については後述する。
【００１５】
ベースユニット１上へのモジュール２の設置方法について説明する。
図２は、実施の形態１において、ベースユニット１上へのモジュール２の具体的な設置方法の一例について説明するための図である。なお、図２は、電子機器１０を背面側からみた斜視図である。図２では、一例として、ベースユニット１に、２つのモジュール２を設置する場合を示している。
モジュール２は、接続補助部材５を介してベースユニット１上へ設置される。具体的には、ベースユニット１および各モジュール２には、それぞれ、接続用部材が設けられており、各接続用部材と接続補助部材５とが接続される。
接続用部材は、ベースユニット１およびモジュール２の背面に設けられている。
実施の形態１では、ベースユニット１の背面に設けられている接続用部材をベースユニット側接続用部材３とし、モジュール２の背面に設けられている接続用部材をモジュール側接続用部材４とする。
ベースユニット側接続用部材３、および、モジュール側接続用部材４は、例えば、接着等、適宜の方法で、ベースユニット１、および、モジュール２に固定される。
【００１６】
ベースユニット側接続用部材３およびモジュール側接続用部材４は、例えば、樹脂で形成され、それぞれ、支持部（ベースユニット側支持部３１，モジュール側支持部４１）と、当該支持部に設けられた接続部（ベースユニット側接続部３２，モジュール側接続部４２）からなる。接続部は、支持部から突出した略直方体の形状を有する。
接続補助部材５は、例えば、樹脂で形成される。接続補助部材５の外形は、略直方体の形状をしており、対向する１組の面におけるそれぞれの面に、凹部（図２の５１）を有する。接続補助部材５が有する凹部が規定する空間の形状およびその寸法は、接続部の外形と略同じ形状および寸法である。ユーザは、凹部と接続部とを嵌め合わせることで、接続補助部材５と、ベースユニット１またはモジュール２とを接続することができ、また、凹部と接続部との嵌め合わせを外すことで、接続補助部材５から、ベースユニット１またはモジュール２を取り外すことができる。
ベースユニット１にモジュール２を設置する際、ユーザは、まず、モジュール２の設置を意図する位置に設けられたベースユニット側接続部３２に、接続補助部材５が有する一方の凹部を嵌め合わせ、当該接続補助部材５が有する他方の凹部にモジュール側接続部４２を嵌め合わせることにより、ベースユニット１上にモジュール２を設置する。
【００１７】
また、図２では図示を省略しているが、ユーザは、ベースユニット１上に設置済みのモジュール２の上部に、さらに、別のモジュール２を設置することもできる（図１参照）。その場合、ユーザは、接続補助部材５が有する一方の凹部に、ベースユニット１上に設置済みのモジュール２のモジュール側接続部４２を嵌め合わせ、他方の凹部に別のモジュール２のモジュール側接続部４２を嵌め合わせることにより、ベースユニット１上に設置済みのモジュール２上に別のモジュール２を設置することができる。
なお、モジュール２の配置を自由に行えるようにする観点からは、複数のベースユニット側接続部３２および複数のモジュール側接続部４２の形状および寸法は、すべて実質的に同一とすることが好ましい。同様に、複数の接続補助部材５のそれぞれが有する凹部の形状および寸法も、すべて実質的に同一とすることが好ましい。
また、ここでは、上述のとおり、接続補助部材５が有する凹部が規定する空間の形状およびその寸法は、接続部の外形と略同じ形状および寸法であるものとしたが、これは一例に過ぎない。例えば、接続部は爪部を有し、接続補助部材５は引っかけ部を有するようにし、爪部を引っかけ部に引っかけることによって、ベースユニット１とモジュール２とが連結されるようになっていてもよい。接続部と接続補助部材５とが接続されることによって、ベースユニット１上にモジュール２が設置されるようになっていればよい。
【００１８】
このように、電子機器１０において、ユーザは、ベースユニット１上に、複数のモジュール２を再配置可能に設定することができる。
ユーザは、ベースユニット側接続部３２とモジュール側接続部４２とを、接続補助部材５を介して接続するだけで、ベースユニット１上にモジュール２を設置することができるので、簡単な方法で、自由にモジュール２の追加または変更を行うことができる。
【００１９】
また、ユーザは、モジュール２上にも、別のモジュール２を再配置可能に設置することができる。そのため、電子機器１０において、ベースユニット１上に、複数のモジュール２を組み上げて配置することが可能となり、設置スペースの制約を受けることなく、自由にモジュール２の追加または変更を行うことができる。
また、上述のとおり、ベースユニット１および各モジュール２は直方体となる形状を有している。そのため、ベースユニット１上で、複数のモジュール２を組み合わせる自由度が増す。
【００２０】
次に、電子機器１０がネットワーク上に設けられて構成される通信システムについて説明する。
図３は、実施の形態１の電子機器１０を備える通信システムのネットワーク構成例を示す図である。
通信システムにおいて、電子機器１０のベースユニット１は、ルータ３０およびファイアウォール４０を経由し、インターネット等のネットワークを経由して、外部サービス５０に接続される。ベースユニット１は、ネットワークを介して、外部サービス５０から配信される音楽または天気予報等の各種情報を取得する。
また、電子機器１０において、ベースユニット１は、Ｂｌｕｅｔｏｏｔｈ（商標登録）等によって各通電モジュールと接続され、各通電モジュールと通信を行う。
また、ベースユニット１は、宅内または宅外においてユーザが使用するスマートフォン等の情報端末２０ａ，２０ｂと、ネットワークを経由して接続される。
ユーザは、ベースユニット１を操作してベースユニット１に制御命令を入力する、または、情報端末２０ａ，２０ｂを操作しネットワークを介してベースユニット１に制御命令を入力することで、電子機器１０の動作を制御することができる。電子機器１０の具体的な動作については後述する。
【００２１】
図４は、実施の形態１の電子機器１０が備えるベースユニット１の構成例を示す図である。
図４に示すように、ベースユニット１は、受電部１０１と、処理部１０２と、送電部１０３と、通信部１０４と、受付部１０５と、出力部１０６と、表示部１０７と、記憶部１０８とを備える。
処理部１０２は、送電処理部１０２１と、要求処理部１０２２と、情報処理部１０２３とを有する。また、通信部１０４は、要求送信部１０４１と、情報受信部１０４２とを有する。
【００２２】
受電部１０１は、例えば、予め壁内に配線されている電力線（図示省略）と接続されており、当該電力線を介して、電源（図示省略）からの電力を受ける。
受電部１０１は、電力線から受けた電力を、処理部１０２（後述する）および送電部１０３（後述する）に供給する。
受電部１０１が電力線から受けた電力は、処理部１０２からの制御に基づきベースユニット１が動作するために使用される。また、受電部１０１が電力線から受けた電力は、送電部１０３によって、ベースユニット１上に設置されている１つまたは複数の通電モジュールに供給される。
【００２３】
処理部１０２は、ベースユニット１の各部、および、１つまたは複数の通電モジュールを制御する。
処理部１０２の送電処理部１０２１は、送電部１０３に対して、１つまたは複数の通電モジュールへの電力の供給を実行させる。
処理部１０２の要求処理部１０２２は、受付部１０５が通電モジュールへの動作を制御する制御命令を受け付けた場合に、受け付けた制御命令に基づき、該当の通電モジュールの動作を制御する。具体的には、要求処理部１０２２は、通信部１０４の要求送信部１０４１（後述する）を介して、該当の通電モジュールに制御命令を送信し、該当の通電モジュールに、制御命令に基づく動作を実行させる。
また、要求処理部１０２２は、受付部１０５が、通電モジュールの状態に関する情報を要求する状態要求命令を受け付けた場合に、受け付けた状態要求命令に基づき、該当の通電モジュールに対して、状態に関する情報を要求する。具体的には、要求処理部１０２２は、要求送信部１０４１を介して、該当の通電モジュールに状態要求命令を送信し、該当の通電モジュールに、該当の通電モジュール自身の状態に関する情報を返答させる。
【００２４】
処理部１０２の情報処理部１０２３は、通信部１０４の情報受信部１０４２（後述する）が各通電モジュールから受信した各種情報を、表示部１０７に表示させる。例えば、情報処理部１０２３は、通信部１０４の情報受信部１０４２が各通電モジュールから受信した、当該通電モジュールの制御結果に関する情報、または、当該通電モジュールの状態に関する情報を、表示部１０７（後述する）に表示させる。
また、情報処理部１０２３は、例えば、情報受信部１０４２が各通電モジュールから受信した、当該通電モジュールの制御結果に関する情報、または、当該通電モジュールの状態に関する情報を、出力部１０６（後述する）に出力させる。
情報処理部１０２３は、例えば、各通電モジュールの制御結果に関する情報、または、各通電モジュールの状態に関する情報を、記憶部１０８（後述する）に記憶させるようにしてもよい。
【００２５】
送電部１０３は、送電処理部１０２１の制御に基づき、受電部１０１を介して、電源から供給される電力を受け、当該電力を、１つまたは複数の通電モジュールに非接触で供給する。なお、以下、「電力を非接触で供給する」または「電力を非接触で受ける」等の表現は、電力が、いわゆる無線給電方式で送電されること、あるいは、無線給電方式で受電されること等を意味する。
送電部１０３による、１つまたは複数の通電モジュールへの具体的な電力の供給方法については後述する。
【００２６】
通信部１０４は、各通電モジュールとの通信を行う。
通信部１０４の要求送信部１０４１は、要求処理部１０２２の制御に基づき、各通電モジュールに対して、制御命令、または、状態要求命令を送信する。
通信部１０４の情報受信部１０４２は、各通電モジュールから送信される各種情報を受信する。情報受信部１０４２は、受信した各種情報を、情報処理部１０２３に出力する。
【００２７】
受付部１０５は、各通電モジュールの動作を制御する制御命令、または、各通電モジュールの状態要求命令を受け付ける。
例えば、ユーザは、ベースユニット１に設けられた入力装置（図示省略）または、情報端末２０ａ，２０ｂ（図３参照）が有する入力装置（図示省略）を操作して、通電モジュールの制御命令、または、通電モジュールの状態要求命令をベースユニット１に入力する。ベースユニット１に設けられた入力装置は、例えば、タッチパネル式の表示部１０７、または、ベースユニット１に設けられたマイク等である。情報端末２０ａ，２０ｂが有する入力装置は、例えば、情報端末２０ａ，２０ｂに設けられたボタン等である。
受付部１０５は、受け付けた制御命令または状態要求命令を要求処理部１０２２に出力する。
【００２８】
出力部１０６は、例えば、スピーカ等の音声出力装置であり、情報処理部１０２３の制御に基づき、各種情報を音声出力する。
【００２９】
表示部１０７は、例えば、タッチパネル式のディスプレイ等の表示装置であり、情報処理部１０２３の制御に基づき、各種情報を表示する。
【００３０】
記憶部１０８は、例えば、ＨＤＤ（Ｈａｒｄ  Ｄｉｓｋ  Ｄｒｉｖｅ）またはメモリ等の記憶装置であり、情報処理部１０２３の制御に基づき、各種情報を記憶する。
なお、図４では、記憶部１０８は、ベースユニット１に備えられるものとしたが、これに限らず、記憶部１０８は、ベースユニット１の外部の、ベースユニット１が参照可能な場所に備えられるものとしてもよい。
【００３１】
図５は、実施の形態１の電子機器１０が備える通電モジュールの構成例を示す図である。
図５に示すように、通電モジュールは、受電部２０１と、処理部２０２と、送電部２０３と、通信部２０４とを備える。
処理部２０２は、起動処理部２０２１と、送電処理部２０２２と、動作処理部２０２３とを有する。
通信部２０４は、要求受信部２０４１と、情報送信部２０４２とを有する。
【００３２】
受電部２０１は、ベースユニット１の送電部１０３から供給される電力を非接触で受ける。
【００３３】
処理部２０２は、通電モジュールの各部を制御する。
処理部２０２の起動処理部２０２１は、受電部２０１が電力を受けると、通電モジュールを起動させる。
具体的には、起動処理部２０２１は、通信部２０４（後述する）を起動し、通信部２０４の接続要求部（図示省略）に、ベースユニット１に対しペアリングリクエストを送信させる。ベースユニット１の通信部１０４が、通電モジュールからペアリングリクエストを受信すると、通信部１０４の応答部（図示省略）が、ペアリングリクエストに対する応答を当該通電モジュールに送信する。
通電モジュールの接続要求部が、予め設定された一定時間内にベースユニット１からペアリングリクエストに対する応答を受信した場合、ベースユニット１と通電モジュールとの間での接続が確立され、ベースユニット１と通電モジュール間での通信が開始される。
【００３４】
処理部２０２の送電処理部２０２２は、送電部２０３（後述する）に対して、隣接する他の通電モジュールへ、非接触で電力を供給させる。
処理部２０２の動作処理部２０２３は、通信部２０４の要求受信部２０４１がベースユニット１から制御命令を受信すると、受信した制御命令に基づく動作を実行する。また、動作処理部２０２３は、通信部２０４の要求受信部２０４１がベースユニット１から状態要求命令を受信すると、受信した状態要求命令に基づき、当該動作処理部２０２３を備えた通電モジュール自身の状態に関する情報を、通信部２０４の情報送信部２０４２を介し、ベースユニット１に送信する。
【００３５】
送電部２０３は、送電処理部２０２２からの制御に基づき、受電部２０１が、ベースユニット１、または、隣接する受電済みの通電モジュールから受けた電力を、隣接する、電力が供給されていない通電モジュールに、非接触で供給する。
送電部２０３による、隣接する通電モジュールへの具体的な電力の供給方法については後述する。
【００３６】
通信部２０４は、ベースユニット１との通信を行う。
通信部２０４の要求受信部２０４１は、ベースユニット１から送信される制御命令、または、状態要求命令を受信する。
要求受信部２０４１は、受信した制御命令、または、状態要求命令を、動作処理部２０２３に出力する。
通信部２０４の情報送信部２０４２は、動作処理部２０２３が実行した動作の結果に関する情報、または、当該通信部２０４を備えた通電モジュール自身の状態に関する情報を、ベースユニット１に送信する。
【００３７】
なお、実施の形態１において、通電モジュールは、本体と動作ユニットとを有するようにし、動作ユニットを本体から切り離して動作させるようにすることもできる。
例えば、通電モジュールが照明２ｃ，２ｄ（図１参照）である場合、発光部を有する部分を動作ユニットとし、当該発光部を有する部分のみを切り離し可能に構成することができる。
【００３８】
図６は、実施の形態１において、通電モジュールが本体と動作ユニットとを有する場合の、通電モジュールの構成例を示す図である。
図６は、一例として、通電モジュールを、発光部を有する部分を本体から切り離して使用できる照明２ｃ，２ｄとした場合の、当該照明２ｃ，２ｄの構成例を示す。
なお、図６において、図５を用いて説明した通電モジュールの構成と同様の構成については、同じ符号を付して重複した説明を省略する。
図６に示すように、通電モジュールは、本体部２１と、動作ユニット２２を有する。
本体部２１は、本体側送電部２０５と、受電部２０１とを備える。
動作ユニット２２は、動作側受電部２０６と、処理部２０２と、送電部２０３と、通信部２０４と蓄電池２０７とを備える。
【００３９】
本体側送電部２０５は、受電部２０１がベースユニット１から受けた電力を、動作側受電部２０６に非接触で供給する。
動作側受電部２０６は、本体側送電部２０５から供給された電力を非接触で受ける。動作ユニット２２を本体部２１に近接させることで、動作側受電部２０６は、本体側送電部２０５からの電力を受けることができる。
動作側受電部２０６は、本体側送電部２０５から受けた電力によって、蓄電池２０７を充電する。
蓄電池２０７は、例えば、一般的な蓄電池である。
【００４０】
通電モジュールが、図６に示すような構成である場合、処理部２０２は、動作側受電部２０６または蓄電池２０７からの電力に基づき動作する。
具体的には、例えば、処理部２０２の動作処理部２０２３は、動作側受電部２０６または蓄電池２０７からの電力に基づき、発光部（図示省略）を発光させる。
蓄電池２０７に蓄電されていることにより、動作ユニット２２が、本体部２１から電力の供給を受けることができない程度に離れた場所に切り離された場合も、当該動作ユニット２２は動作を続けることができる。
【００４１】
なお、図６では、送電処理部２０２２および送電部２０３は、動作ユニット２２に備えられるものとしたが、これに限らず、送電処理部２０２２および送電部２０３は、本体部２１に備えられるようにしてもよい。
【００４２】
実施の形態１の電子機器１０の動作について説明する。
以下の動作説明においては、電子機器１０は、ユーザによって、例えば、図１で示したように、ベースユニット１上に、７つのモジュール２が組み上げられて設置されているものとする。
ただし、説明の便宜上、ベースユニット１上の設置されているモジュール２は、全て通電モジュールであるものとする。
【００４３】
電子機器１０では、まず、ベースユニット１から各通電モジュールに対して、電力を供給し、ベースユニット１と各通電モジュールとの通信を開始させる。
図７は、実施の形態１において、ベースユニット１と各通電モジュールとの通信が開始されるまでの動作を説明するためのフローチャートである。
【００４４】
ベースユニット１は、１つまたは複数の通電モジュールに対して、電力の供給を開始する（ステップＳＴ７０１）。具体的には、ベースユニット１の送電処理部１０２１の制御に基づき、ベースユニット１の送電部１０３が、電力線から供給される電力を、１つまたは複数の通電モジュールに非接触で供給する。
ステップＳＴ７０１は、例えば、ユーザが、電子機器１０を使用する際に、ベースユニット１のタッチパネル式の表示部１０７、または、情報端末２０ａ，２０ｂ（図３参照）が備えるボタン等の入力装置を操作して、電源を「ＯＮ」にする旨の指示を入力したことをきっかけに実行される。ベースユニット１の受付部１０５は、入力装置から入力された、電源を「ＯＮ」にする旨の指示を受け付け、送電処理部１０２１に、当該指示を受け付けた旨の情報を出力する。
【００４５】
ベースユニット１が、電力の供給を開始すると、電力を受けた各通電モジュールが起動する（ステップＳＴ７０２）。具体的には、各通電モジュールの受電部２０１が電力を受け、起動処理部２０２１が、各部を起動させる。
起動処理部２０２１は、通信部２０４の接続要求部に、ベースユニット１に対しペアリングリクエストを送信させる（ステップＳＴ７０３）。
ペアリングが成功しなかった場合（ステップＳＴ７０４の“ＮＯ”の場合）、すなわち、接続要求部が、ステップＳＴ７０３においてベースユニット１に対して送信したペアリングリクエストに対する応答を、一定時間内にベースユニット１から受信しなかった場合、ステップＳＴ７０３に戻り、起動処理部２０２１は、再度、接続要求部にペアリングリクエストを再送信させる。
【００４６】
ペアリングが成功した場合（ステップＳＴ７０４の“ＹＥＳ”の場合）、すなわち、接続要求部が、ステップＳＴ７０３においてベースユニット１に対して送信したペアリングリクエストに対する応答を、一定時間内にベースユニット１から受信した場合、通電モジュールとベースユニット１との接続が確立され、通信が開始される（ステップＳＴ７０５）。
【００４７】
ここで、ベースユニット１から各通電モジュールへの、具体的な電力の供給方法について、いくつか例をあげて説明する。
なお、ベースユニット１の送電部１０３と、通電モジュールの受電部２０１とによる無線給電方式としては、既存の任意の方式を採用することができる。
例えば、無線給電方式として電磁誘導式を採用する場合、送電部１０３は、１次コイルおよび高周波電源回路等を有し、当該１次コイルに高周波電源回路から交流電流が供給される。
【００４８】
例えば、ベースユニット１の受電部１０１が、壁内に配線された電力線から電力を受けると、ベースユニット１の送電部１０３は、当該ベースユニット１上に設置されたすべての通電モジュールに対して、一度に非接触で電力を供給することができる。
図８は、実施の形態１において、ベースユニット１の送電部１０３が、ベースユニット１上に設置されたすべての通電モジュールに対して非接触で電力を供給する方法のイメージの一例を示す図である。
【００４９】
この場合、ベースユニット１を、従来の給湯器用コントローラに代えて設置するだけで、ベースユニット１上に設置された通電モジュールが使用可能となるため、施工の負担を少なくすることができる。
上述の説明では、通電モジュールは、図５，図６で示したような構成を有するものとしたが、このように、ベースユニット１からすべての通電モジュールに対して直接電力を供給する場合、各通電モジュールは、送電処理部２０２２および送電部２０３を備えない構成とすることができる。
【００５０】
また、例えば、ベースユニット１の送電部１０３は、当該ベースユニット１と接する１つまたは複数の通電モジュールに対してのみ電力を供給し、電力が供給された１つまたは複数の通電モジュールが、さらに、当該１つまたは複数の通電モジュールと隣接する他の１つまたは複数の通電モジュールへと電力を供給するように、数珠繋ぎで各通電モジュールへの電力の供給を行うようにすることもできる。
図９は、実施の形態１において、ベースユニット１の送電部１０３から、ベースユニット１上に設置された通電モジュールに対して、数珠繋ぎで電力を供給する方法のイメージの一例を示す図である。
【００５１】
具体的には、ベースユニットの送電部１０３は、ベースユニット１上に設置されている複数のモジュールのうち、当該ベースユニット１と接する１つまたは複数の通電モジュール（以下「対面通電モジュール」という。）に対して非接触で電力を供給する。これにより、図９でいうと、図９のＡで示すベースユニット１と、図９のＢで示す３つの対面通電モジュールとに、電力が供給されることになる。
【００５２】
次に、各対面通電モジュール（図９のＢ）は、各対面通電モジュール自身と隣接する１または複数の通電モジュールに対して非接触で電力を供給する。これにより、図９でいうと、図９のＡおよびＢに電力が供給された状態から、さらに、図９のＣで示す２つの通電モジュールにも電力が供給されることになる。
【００５３】
さらに、図９のＣで示す２つの電力を受けた通電モジュールは、ベースユニット１上に設置されている通電モジュールのうち、図９のＣで示す２つの通電モジュール自身と隣接する、まだ電力を受けていない１つまたは複数の通電モジュールに対して、非接触で電力を供給する。これにより、図９でいうと、図９のＡ〜Ｃに電力が供給された状態から、さらに、図９のＤで示す２つの通電モジュールにも電力が供給されることになる。
このようにして、ベースユニット１から、当該ベースユニット１上に設置された各通電モジュールに対して、数珠繋ぎで電力が供給されていく。
【００５４】
また、通電モジュールへの電力の供給については、ベースユニット１がこれを行うのではなく、ベースユニット１の代わりに、給電装置が、通電モジュールへの電力の供給を行うようにしてもよい。
具体的には、例えば、ベースユニット１とは別に、通電モジュールに電力を供給するための給電装置を用意し、当該給電装置を、電子機器１０が設置される壁の内部に埋め込む。
図１０は、実施の形態１において、壁の内部に埋め込まれた給電装置１００１が、ベースユニット１上に設置された通電モジュールに対して非接触で電力を供給する方法のイメージの一例を示す図である。
給電装置１００１は、例えば、壁の内部において、通電モジュールと対向する位置に埋め込まれるようにする。
【００５５】
上述の説明では、ベースユニット１は、図４で示したような構成を有するものとしたが、このように、壁の内部に埋め込まれた給電装置１００１から通電モジュールに対して電力を供給する場合、ベースユニット１は、送電処理部１０２１および送電部１０３を備えない構成とすることができる。
代わりに、給電装置１００１が、送電処理部１０２１および送電部１０３に相当する構成を有する。
【００５６】
また、例えば、給電装置１００１を、ベースユニット１上において各モジュール２と対向する位置となるよう、ベースユニット１上に設けるようにしてもよい。
図１１は、実施の形態１において、ベースユニット１上に設けられた給電装置１００１が、ベースユニット１上に設置された通電モジュールに対して非接触で電力を供給する方法のイメージの一例を示す図である。
この場合、電子機器１０を設置する際には、給電装置１００１が壁側となるよう設置する。
なお、ベースユニット１側の、各モジュール２と接続するための接続用部材は、給電装置１００１の、モジュール２と対向する側の面に設けられるようにすればよい。
ベースユニット１と給電装置１００１とは、例えば、接続用部材および接続補助部材５を用いて接続されるようにしてもよいし、ベースユニット１と給電装置１００１とが一体形成されるようにしてもよい。
図１１に示すように、給電装置１００１を壁前面に配置するようになるため、図１０で示した、給電装置１００１を壁の内部に埋め込む場合と比べ、施工の負担を少なくすることができる。
【００５７】
なお、ここでは、電子機器１０が壁に設置されるものとしているため、給電装置１００１は壁の内部に埋め込まれるものとしたが、給電装置１００１が埋め込まれる場所はこれに限らない。
例えば、浴室の壁に固定的に取り付けられた棚または鏡に給電装置１００１が埋め込まれるようにしてもよい。
また、例えば、電子機器１０が浴槽に載置される場合、給電装置１００１が電子機器１０の各通電モジュールへの電力の供給が行える範囲内に存在するようにできるのであれば、当該給電装置１００１が浴槽の構成材の内部に埋め込まれるようにしてもよい。
給電装置１００１は、電子機器１０の設置位置に応じて、あらゆる構造物内に埋め込まれるようにすることが可能である。
【００５８】
以上説明したように、各通電モジュールに電力が供給され、ベースユニット１と各通電モジュールとの通信が開始されると、ユーザは、各通電モジュールの動作の制御を開始することができる。具体的には、ベースユニット１は、ユーザからの、各通電モジュールの動作を制御する制御命令を受け付け、各通電モジュールを制御する。
以下、ベースユニット１が、各通電モジュールを制御する動作について、詳細に説明する。
【００５９】
図１２は、実施の形態１において、ベースユニット１が、各通電モジュールを制御する動作について説明するためのフローチャートである。
受付部１０５は、通電モジュールを制御する制御命令を受け付けるまで待機し（ステップＳＴ１２０１の“ＮＯ”の場合）、制御命令を受け付けると（ステップＳＴ１２０１の“ＹＥＳ”の場合）、受け付けた制御命令を、要求処理部１０２２に出力する。
【００６０】
ユーザは、例えば、ベースユニット１のタッチパネル式の表示部１０７をタッチすることで、所望の通電モジュールに対する制御命令を入力する。また、例えば、ユーザは、ベースユニット１が備えるマイクから音声を入力し、所望の通電モジュールに対する制御命令を入力してもよい。
受付部１０５は、ユーザが入力装置から入力した制御命令を受け付ける。
制御命令の具体的な内容は、例えば、通電モジュールとしての照明の発光部を点灯（「ＯＮ」）または消灯（「ＯＦＦ」）させる旨の命令、通電モジュールとしての通信機器に対して外部サービスから天気予報の情報を取得させる旨の命令、または、通電モジュールとしての音楽再生装置に対して音楽を再生させる旨の命令等である。
【００６１】
要求処理部１０２２は、ステップＳＴ１２０１において受付部１０５が受け付けた制御命令に基づき、該当の通電モジュールの動作を制御する（ステップＳＴ１２０２）。具体的には、要求処理部１０２２は、要求送信部１０４１を介して、該当の通電モジュールに制御命令を送信し、該当の通電モジュールに、制御命令に基づく動作を実行させる。
制御命令を受信した通電モジュールでは、要求受信部２０４１が、要求処理部１０２２から送信された制御命令を受信し、動作処理部２０２３が、制御命令に基づく動作を実行する。
例えば、通電モジュールとしての照明が、発光部を点灯させる旨の制御命令を受信した場合、動作処理部２０２３は、発光部を発光する。また、例えば、通電モジュールとしての通信機器が、外部サービスから天気予報の情報を取得する旨の制御情報を受信した場合、動作処理部２０２３は、天気予報の情報を外部サービス５０から受信する。
【００６２】
要求処理部１０２２は、ステップＳＴ１２０２において通電モジュールに送信した制御命令が、情報を取得させる命令であったかどうかを判定する（ステップＳＴ１２０３）。
【００６３】
ステップＳＴ１２０３において、要求処理部１０２２は、制御命令が情報を取得させる命令でなかったと判定した場合（ステップＳＴ１２０３の“ＮＯ”の場合）、処理終了する。
例えば、ステップＳＴ１２０３において、照明に対して、発光部を点灯させる制御命令を送信した場合、当該制御命令は、照明に対して、何等かの情報を取得させる命令ではないため、処理終了する。
【００６４】
一方、ステップＳＴ１２０３において、要求処理部１０２２は、制御命令は情報を取得させる命令であったと判定した場合（ステップＳＴ１２０３の“ＹＥＳ”の場合）、情報受信部１０４２は、通電モジュールから、制御命令に対応した情報を受信するまで待機する（ステップＳＴ１２０４の“ＮＯ”の場合）。
【００６５】
情報受信部１０４２は、通電モジュールから、制御命令に対応した情報を受信すると（ステップＳＴ１２０４の“ＹＥＳ”の場合）、取得した情報を情報処理部１０２３に出力する。
各通電モジュールでは、要求受信部２０４１が取得した制御命令が、何等かの情報を取得させる命令であった場合、動作処理部２０２３が該当の情報を取得し、情報送信部２０４２を介してベースユニット１に送信する。
例えば、通電モジュールとしての通信機器に対して、天気予報の情報を取得させる制御命令を送信した場合、通信機器では、外部サービス５０から天気予報の情報を受信し、ベースユニット１に送信する。
情報受信部１０４２は、通信機器から送信される天気予報の情報を受信する。
【００６６】
情報処理部１０２３は、ステップＳＴ１２０４において情報受信部１０４２が通電モジュールから取得した情報を表示部１０７に表示させる。または、情報処理部１０２３は、通電モジュールから取得した情報を出力部１０６から出力させる（ステップＳＴ１２０５）。
上述の例でいうと、情報処理部１０２３は、天気予報を、表示部１０７に表示させる。または、情報処理部１０２３は、天気予報を、出力部１０６であるスピーカから音声で出力させるようにしてもよい。
情報処理部１０２３は、通電モジュールから取得した情報を、記憶部１０８に記憶させるようにしてもよい。
【００６７】
このように、ユーザが、各通電モジュールの動作を制御する制御命令をベースユニット１に入力すると、ベースユニット１は、当該制御命令を受け付け、各通電モジュールを制御する。
【００６８】
また、ユーザは、ベースユニット１を介して、各通電モジュールの状態を確認することができる。具体的には、ベースユニット１は、ユーザから状態要求命令を受け付け、各通電モジュールから、各通電モジュールの状態に関する情報を取得し、ユーザに提供する。
【００６９】
以下、ベースユニット１が、各通電モジュールの状態に関する情報を取得し、ユーザに提供する動作について、詳細に説明する。
図１３は、実施の形態１において、ベースユニット１が、各通電モジュールの状態に関する情報を取得し、ユーザに提供する動作について説明するためのフローチャートである。
受付部１０５は、状態要求命令を受け付けると（ステップＳＴ１３０１）、受け付けた状態要求命令を、要求処理部１０１２に出力する。
ユーザは、例えば、ベースユニット１のタッチパネル式の表示部１０７をタッチすることで、所望の通電モジュールに対する状態要求命令を入力する。また、例えば、ユーザは、ベースユニット１が備えるマイクから音声を入力し、所望の通電モジュールに対する状態要求命令を入力してもよい。
受付部１０５は、ユーザが入力装置から入力した状態要求命令を受け付ける。
ここでは、例えば、ユーザは、ベースユニット１の表示部１０７から、通電モジュールとしての照明に対する状態要求命令を入力したものとする。
【００７０】
要求処理部１０２２は、ステップＳＴ１３０１において受付部１０５が受け付けた状態要求命令に基づき、該当の通電モジュールに対して、状態に関する情報を要求する（ステップＳＴ１３０２）。具体的には、要求処理部１０２２は、要求送信部１０４１を介して、該当の通電モジュールに状態要求命令を送信し、該当の通電モジュールに、該当の通電モジュール自身の状態に関する情報を返答させる。
【００７１】
情報受信部１０４２は、通電モジュールから、状態要求命令に対応した情報を受信するまで待機する（ステップＳＴ１３０３の“ＮＯ”の場合）。
【００７２】
情報受信部１０４２は、通電モジュールから、状態要求命令に対応した情報を受信すると（ステップＳＴ１３０３の“ＹＥＳ”の場合）、取得した情報を情報処理部１０２３に出力する。
各通電モジュールでは、要求受信部２０４１が状態要求命令を受信すると、動作処理部２０２３が、通電モジュール自身の状態に関する情報を、情報送信部２０４２を介してベースユニット１に送信する。
例えば、通電モジュールとしての照明に対して、状態要求命令を送信した場合、照明から、点灯状態（「ＯＮ」）になっているか消灯状態（「ＯＦＦ」）になっているかの情報、点灯状態の場合の発光部の発光レベルの情報等が、照明自身の状態に関する情報として、ベースユニット１に送信される。
【００７３】
情報処理部１０２３は、ステップＳＴ１３０３において情報受信部１０４２が通電モジュールから取得した、通電モジュールの状態に関する情報を表示部１０７に表示させる。または、情報処理部１０２３は、通電モジュールから取得した、通電モジュールの状態に関する情報を出力部１０６から出力させる（ステップＳＴ１３０４）。
上述の例でいうと、情報処理部１０２３は、照明が点灯状態か消灯状態か、および、点灯状態の場合の発光部の発光レベルを、表示部１０７に表示させる。または、情報処理部１０２３は、照明が点灯状態か消灯状態か、および、点灯状態の場合の発光部の発光レベルを、出力部１０６であるスピーカから音声で出力させるようにしてもよい。
情報処理部１０２３は、通電モジュールから取得した、通電モジュールの状態に関する情報を、記憶部１０８に記憶させるようにしてもよい。
【００７４】
このように、ユーザが状態要求命令を入力すると、ベースユニット１は、当該状態要求命令を受け付け、各通電モジュールから、各通電モジュールの状態に関する情報を取得し、ユーザに提供する。
【００７５】
図１２および図１３を用いて説明したベースユニット１の動作説明では、ユーザは、ベースユニット１が備える入力装置を操作して制御命令または状態要求命令を入力するものとしたが、これに限らず、ユーザは、情報端末２０ａ，２０ｂ（図３参照）のボタン（入力装置）を操作して、所望の通電モジュールに対する制御命令または状態要求命令を入力することもできる。この場合、ベースユニット１の受付部１０５は、情報端末２０ａ，２０ｂから入力された制御命令または状態要求命令を、ネットワークを介して受け付ける。
そして、ベースユニット１の情報処理部１０２３は、通電モジュールから受信する各種情報を、情報端末２０ａ，２０ｂが有する表示部に表示、または、情報端末２０ａ，２０ｂが有する出力部から出力させることができる。
【００７６】
以上の実施の形態１では、ベースユニット１から通電モジュールへの電力の供給、または、通電モジュール同士の電力の供給は、非接触で行うことを前提とした。
しかし、これに限らず、ベースユニット１から通電モジュールへの電力の供給、または、通電モジュール同士の電力の供給は、接続端子を用いて行うようにしてもよい。
この場合、ベースユニット１と各モジュール２を接続させるための接続用部材（ベースユニット側接続用部材３，モジュール側接続用部材４。図２参照）の接続部（ベースユニット側接続部３２，モジュール側接続部４２。図２参照）は、端子とする。
接続補助部材５は、例えば、樹脂製の、防水の部材で形成され、内部に、接続部との接続線が設けられるものとする。
端子である接続部と、接続補助部材５の凹部とが嵌め合わされると、接続用部材と接続補助部材５に設けられた接続線とが、電気的に接続される。
接続部と接続補助部材５とが接続された際、接続部と接続補助部材５との接続部分は、防水になるようにする。防水機能については、適宜の防水の手法を用いて実現するようにすればよい。
【００７７】
例えば、ベースユニット１の受電部１０１が、壁等に配線された電力線から電力を受けると、送電部１０３は当該電力を受け、送電部１０３とベースユニット側接続部３２とが、ベースユニット１内に配設された配線を介して、電気的に接続される。
ベースユニット側接続部３２に供給された電力は、ベースユニット側支持部３１および接続補助部材５を介して、モジュール側接続部４２に供給される。
モジュール側接続部４２に電力が供給されると、当該モジュール側接続部４２と、通電モジュールの受電部２０１とが、通電モジュール内に配設された配線を介して、電気的に接続される。
これにより、ベースユニット１から通電モジュールへ、電力が供給されるようになる。
通電モジュール同士の電力の供給についても、同様の仕組みを用いればよい。
【００７８】
また、以上の実施の形態１では、電子機器１０は、浴室内で使用される浴室用電子機器であるものとしたが、これは一例に過ぎない。実施の形態１の電子機器１０は、１つまたは複数の機器等を組み合わせて機能させる、あらゆる電子機器１０に適応させることができる。
【００７９】
図１４Ａ，図１４Ｂは、実施の形態１に係るベースユニット１のハードウェア構成の一例を示す図である。
実施の形態１において、受電部１０１と、処理部１０２と、送電部１０３と、受付部１０５と、出力部１０６の各機能は、処理回路１４０１により実現される。すなわち、ベースユニット１は、通電モジュールへ、電源から受けた電力を供給し、当該通電モジュールの制御を行うための処理回路１４０１を有する。
処理回路１４０１は、図１４Ａに示すように専用のハードウェアであっても、図１４Ｂに示すようにメモリに格納されるプログラムを実行するＣＰＵ（Ｃｅｎｔｒａｌ  Ｐｒｏｃｅｓｓｉｎｇ  Ｕｎｉｔ）１４０７であってもよい。
【００８０】
処理回路１４０１が専用のハードウェアである場合、処理回路１４０１は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはこれらを組み合わせたものが該当する。
【００８１】
処理回路１４０１がＣＰＵ１４０７の場合、受電部１０１と、処理部１０２と、送電部１０３と、受付部１０５と、出力部１０６の各機能は、ソフトウェア、ファームウェア、または、ソフトウェアとファームウェアとの組み合わせにより実現される。すなわち、受電部１０１と、処理部１０２と、送電部１０３と、受付部１０５と、出力部１０６は、ＨＤＤ（Ｈａｒｄ  Ｄｉｓｋ  Ｄｒｉｖｅ）１４０２、メモリ１４０６等に記憶されたプログラムを実行するＣＰＵ１４０７、システムＬＳＩ（Ｌａｒｇｅ−Ｓｃａｌｅ  Ｉｎｔｅｇｒａｔｉｏｎ）等の処理回路により実現される。また、ＨＤＤ１４０２、メモリ１４０６等に記憶されたプログラムは、受電部１０１と、処理部１０２と、送電部１０３と、受付部１０５と、出力部１０６の手順や方法をコンピュータに実行させるものであるとも言える。ここで、メモリ１４０６とは、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の、不揮発性または揮発性の半導体メモリや、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｃ）等が該当する。
【００８２】
なお、受電部１０１と、処理部１０２と、送電部１０３と、受付部１０５と、出力部１０６の各機能について、一部を専用のハードウェアで実現し、一部をソフトウェアまたはファームウェアで実現するようにしてもよい。例えば、受電部１０１については専用のハードウェアとしての処理回路１４０１でその機能を実現し、処理部１０２と、送電部１０３と、受付部１０５と、出力部１０６については処理回路がメモリ１４０６に格納されたプログラムを読み出して実行することによってその機能を実現することが可能である。
また、ベースユニット１は、電力線または通電モジュール等の外部機器と情報の授受を行う入力インタフェース装置１４０３、出力インタフェース装置１４０４を有する。例えば、通信部１０４の情報受信部１０４２は、入力インタフェース装置１４０３で構成される。また、例えば、通信部１０４の要求送信部１０４１は、出力インタフェース装置１４０４で構成される。
表示部１０７は、例えば、ディスプレイ１４０５を使用する。
記憶部１０８は、例えば、ＨＤＤ１４０２を使用する。なお、これは一例にすぎず、記憶部１０８は、ＤＶＤ、メモリ１４０６等によって構成されるものであってもよい。
【００８３】
図１５Ａ，図１５Ｂは、実施の形態１に係る通電モジュールのハードウェア構成の一例を示す図である。
実施の形態１において、受電部２０１と、処理部２０２と、送電部２０３の各機能は、処理回路１５０１により実現される。すなわち、通電モジュールは、ベースユニット１から電力を受けて、隣接する他の通電モジュールへの電力の供給を行うため、または、ベースユニット１からの制御命令に基づく動作を実行するための処理回路１５０１を有する。
処理回路１５０１は、図１５Ａに示すように専用のハードウェアであっても、図１５Ｂに示すようにメモリに格納されるプログラムを実行するＣＰＵ（Ｃｅｎｔｒａｌ  Ｐｒｏｃｅｓｓｉｎｇ  Ｕｎｉｔ）１５０６であってもよい。
【００８４】
処理回路１５０１が専用のハードウェアである場合、処理回路１５０１は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはこれらを組み合わせたものが該当する。
【００８５】
処理回路１５０１がＣＰＵ１５０６の場合、受電部２０１と、処理部２０２と、送電部２０３の各機能は、ソフトウェア、ファームウェア、または、ソフトウェアとファームウェアとの組み合わせにより実現される。すなわち、受電部２０１と、処理部２０２と、送電部２０３は、ＨＤＤ（Ｈａｒｄ  Ｄｉｓｋ  Ｄｒｉｖｅ）１５０２、メモリ１５０５等に記憶されたプログラムを実行するＣＰＵ１５０６、システムＬＳＩ（Ｌａｒｇｅ−Ｓｃａｌｅ  Ｉｎｔｅｇｒａｔｉｏｎ）等の処理回路により実現される。また、ＨＤＤ１５０２、メモリ１５０５等に記憶されたプログラムは、受電部２０１と、処理部２０２と、送電部２０３の手順や方法をコンピュータに実行させるものであるとも言える。ここで、メモリ１５０５とは、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の、不揮発性または揮発性の半導体メモリや、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｃ）等が該当する。
【００８６】
なお、受電部２０１と、処理部２０２と、送電部２０３の各機能について、一部を専用のハードウェアで実現し、一部をソフトウェアまたはファームウェアで実現するようにしてもよい。例えば、受電部２０１については専用のハードウェアとしての処理回路１５０１でその機能を実現し、処理部２０２と、送電部２０３については処理回路がメモリ１５０５に格納されたプログラムを読み出して実行することによってその機能を実現することが可能である。
また、通電モジュールは、ベースユニット１または隣接する他の通電モジュール等の外部機器と情報の授受を行う入力インタフェース装置１５０３、出力インタフェース装置１５０４を有する。例えば、通信部２０４の要求受信部２０４１は、入力インタフェース装置１５０３で構成される。また、例えば、通信部２０４の情報送信部２０４２は、出力インタフェース装置１５０４で構成される。
【００８７】
以上のように、実施の形態１によれば、電子機器１０は、ベースユニット１と、送電部１０３（第１の送電部）から供給される電力を受ける受電部２０１を有する１つまたは複数の通電モジュールを含み、ベースユニット１上に再配置可能に設置される複数のモジュール２とを備えるように構成した。そのため、ある空間で使用される複数のモジュールを、自由に追加変更可能とすることができる。
【００８８】
また、実施の形態１によれば、電子機器１０において、モジュール２が有する受電部２０１は、第１の送電部から供給される電力を非接触で受けることができるように構成した。そのため、防水性を考慮し、端子を露出せずに給電を行うことができる。
【００８９】
また、実施の形態１によれば、電子機器１０において、第１の送電部は、ベースユニット１上に設置されているすべての通電モジュールに対して非接触で電力を供給することができるように構成した。そのため、配線された電力線に接続されるのは少なくともベースユニット１のみでよく、既存のコントローラ等をベースユニットに置き換えるだけで、非接触でモジュール２に対して電力を供給できる。その結果、電子機器１０の設置時の施工の負担を少なくすることができる。
また、実施の形態１によれば、電子機器１０において、複数のモジュール２は、当該複数のモジュールのうち、一つのモジュール２が他のモジュール２上に再配置可能に設置され、通電モジュールは送電部２０３（第２の送電部）を有し、第１の送電部は、ベースユニット１上に設置されている複数のモジュール２のうち、当該ベースユニット１と接する通電モジュールである対面通電モジュールに対して非接触で電力を供給し、対面通電モジュールは、第１の送電部からの電力を受けると、当該対面通電モジュールと隣接する通電モジュールに対して非接触で電力を供給し、電力を受けた通電モジュールは、当該電力を受けた通電モジュールと隣接する、電力が供給されていない通電モジュールに対して、非接触で電力を供給することができるように構成した。この場合も、配線された電力線に接続されるのは少なくともベースユニット１のみでよく、非接触で複数のモジュール２に対して電力を供給できる。その結果、電子機器１０の設置時の施工の負担を少なくすることができる。
【００９０】
また、実施の形態１によれば、ベースユニット１および複数のモジュール２は、直方体となる形状を有する。これにより、複数のモジュール２の、ベースユニット１上への設置の自由度が増す。
【００９１】
また、実施の形態１によれば、ベースユニット１および複数のモジュール２は、それぞれ、背面にベースユニット側接続部３２およびモジュール側接続部４２を有し、複数のモジュール２は、ベースユニット側接続部３２とモジュール側接続部４２とが、接続補助部材５によって接続されることでベースユニット１上に設置されるようにした。これにより、簡単な構成で、複数のモジュール２の、ベースユニット１上への設置が可能となる。
【００９２】
また、実施の形態１によれば、ベースユニット１は、複数のモジュール２のうちの１つまたは複数の通電モジュールの動作を制御する制御命令を受け付ける受付部１０５と、受付部１０５が受け付けた制御命令に基づき通電モジュールの動作を制御する要求処理部１０２２とを有し、通電モジュールは、要求処理部１０２２の制御に基づく動作を実行する動作処理部２０２３を有するように構成した。このため、ユーザは、統合的に、ベースユニット１と、１つまたは複数のモジュール２の動作を制御することができる。
【００９３】
また、本願発明はその発明の範囲内において、実施の形態の任意の構成要素の変形、もしくは実施の形態の任意の構成要素の省略が可能である。
【産業上の利用可能性】
【００９４】
この発明に係る電子機器は、ある空間で使用される複数の機器を、自由に追加変更可能とすることができるため、例えば、浴室内で使用される電子機器等に適用することができる。
【符号の説明】
【００９５】
１  ベースユニット、２  モジュール、３  ベースユニット側接続用部材、４  モジュール側接続用部材、５  接続補助部材、１０  電子機器、２０ａ，２０ｂ  情報端末、３０  ルータ、３１  ベースユニット側支持部、３２  ベースユニット側接続部、４０  ファイアウォール、４１  モジュール側支持部、４２  モジュール側接続部、５０  外部サービス、１０１，２０１  受電部、１０２，２０２  処理部、１０３，２０３  送電部、１０４，２０４  通信部、１０５  受付部、１０６  出力部、１０７  表示部、１０８  記憶部、２０５  本体側送電部、２０６  動作側受電部、２０７  蓄電池、１００１  給電装置、１０２１，２０２２  送電処理部、１０２２  要求処理部、１０２３  情報処理部、１０４１  要求送信部、１０４２  情報受信部、１４０１，１５０１  処理回路、１４０２，１５０２  ＨＤＤ、１４０３，１５０３  入力インタフェース装置、１４０４，１５０４  出力インタフェース装置、１４０６，１５０５  メモリ、１４０７，１５０６  ＣＰＵ、１４０５  ディスプレイ、２０２１  起動処理部、２０２２  送電処理部、２０２３  動作処理部、２０４１  要求受信部、２０４２  情報送信部。
【図１】
2019069348.tif 000003
【図２】
2019069348.tif 000004
【図３】
2019069348.tif 000005
【図４】
2019069348.tif 000006
【図５】
2019069348.tif 000007
【図６】
2019069348.tif 000008
【図７】
2019069348.tif 000009
【図８】
2019069348.tif 000010
【図９】
2019069348.tif 000011
【図１０】
2019069348.tif 000012
【図１１】
2019069348.tif 000013
【図１２】
2019069348.tif 000014
【図１３】
2019069348.tif 000015
【図１４】
2019069348.tif 000016
【図１５】
2019069348.tif 000017
【手続補正書】
【提出日】平成30年1月18日(2018.1.18)
【手続補正２】
【補正対象書類名】明細書
【補正対象項目名】０００７
【補正方法】変更
【補正の内容】
【０００７】
この発明に係る電子機器は、ベースユニットと、第１の送電部から供給される電力を受ける受電部を有する１つまたは複数の通電モジュールを含み、ベースユニット上に再配置可能に設置される複数のモジュールとを備え、１つまたは複数の通電モジュールのうち少なくとも１つの通電モジュールは、受電部、および、受電部が受けた電力を非接触で供給する本体側送電部を有する本体部と、本体側送電部から供給された電力を非接触で受ける動作側受電部、および、動作側受電部が受けた電力によって充電される蓄電池を有する動作ユニットとを有し、動作ユニットは、本体部から切り離し可能であることを特徴とするものである。
【手続補正３】
【補正対象書類名】特許請求の範囲
【補正対象項目名】全文
【補正方法】変更
【補正の内容】
【特許請求の範囲】
【請求項１】
ベースユニットと、
第１の送電部から供給される電力を受ける受電部を有する１つまたは複数の通電モジュールを含み、前記ベースユニット上に再配置可能に設置される複数のモジュール
とを備え、
前記１つまたは複数の通電モジュールのうち少なくとも１つの通電モジュールは、
前記受電部、および、前記受電部が受けた電力を非接触で供給する本体側送電部を有する本体部と、
前記本体側送電部から供給された電力を非接触で受ける動作側受電部、および、前記動作側受電部が受けた電力によって充電される蓄電池を有する動作ユニットとを有し、
前記動作ユニットは、前記本体部から切り離し可能である
ことを特徴とする電子機器。
【請求項２】
前記ベースユニットは、前記第１の送電部を有する
ことを特徴とする請求項１記載の電子機器。
【請求項３】
前記受電部は、
前記第１の送電部から供給される電力を非接触で受ける
ことを特徴とする請求項１記載の電子機器。
【請求項４】
前記第１の送電部は、前記ベースユニット上に設置されているすべての前記通電モジュールに対して非接触で電力を供給する
ことを特徴とする請求項１記載の電子機器。
【請求項５】
前記複数のモジュールは、当該複数のモジュールのうち、一つのモジュールが他のモジュール上に再配置可能に設置され、
前記通電モジュールは第２の送電部を有し、
前記第１の送電部は、前記ベースユニット上に設置されている前記複数のモジュールのうち、当該ベースユニットと接する通電モジュールである対面通電モジュールに対して非接触で電力を供給し、
前記対面通電モジュールは、前記第１の送電部からの電力を受けると、当該対面通電モジュールと隣接する通電モジュールに対して非接触で電力を供給し、
電力を受けた通電モジュールは、当該電力を受けた通電モジュールと隣接する、電力が供給されていない通電モジュールに対して、非接触で電力を供給する
ことを特徴とする請求項１記載の電子機器。
【請求項６】
前記第１の送電部は、構造物の内部に設けられる
ことを特徴とする請求項１記載の電子機器。
【請求項７】
前記第１の送電部は、前記ベースユニット上において前記複数のモジュールと対向する位置に設けられた給電装置が有する
ことを特徴とする請求項１記載の電子機器。
【請求項８】
前記ベースユニットおよび前記複数のモジュールは、直方体となる形状を有する
ことを特徴とする請求項１記載の電子機器。
【請求項９】
前記ベースユニットおよび前記複数のモジュールは、それぞれ、背面にベースユニット側接続部およびモジュール側接続部を有し、
前記複数のモジュールは、前記ベースユニット側接続部と前記モジュール側接続部とが、接続補助部材によって接続されることで前記ベースユニット上に設置される
ことを特徴とする請求項１記載の電子機器。
【請求項１０】
前記ベースユニットは、前記複数のモジュールのうちの１つまたは複数の前記通電モジュールの動作を制御する制御命令を受け付ける受付部と、前記受付部が受け付けた制御命令に基づき前記通電モジュールの動作を制御する要求処理部とを有し、
前記通電モジュールは、前記要求処理部の制御に基づく動作を実行する動作処理部を有する
ことを特徴とする請求項１記載の電子機器。
【請求項１１】
前記通電モジュールは、前記ベースユニットに対して当該通電モジュール自身の状態に関する情報を送信する情報送信部を有し、
前記ベースユニットは、前記情報送信部から送信された、前記通電モジュールの状態に関する情報を、表示部に表示させる情報処理部を有する
ことを特徴とする請求項１０記載の電子機器。
【請求項１２】
前記受付部は、外部端末からネットワークを介して前記制御命令を受け付ける
ことを特徴とする請求項１０記載の電子機器。
【手続補正書】
【提出日】平成30年4月3日(2018.4.3)
【手続補正１】
【補正対象書類名】明細書
【補正対象項目名】０００７
【補正方法】変更
【補正の内容】
【０００７】
この発明に係る電子機器は、ベースユニットと、第１の送電部から供給される電力を受ける受電部を有する１つまたは複数の通電モジュールを含み、ベースユニット上に再配置可能に設置される複数のモジュールとを備え、１つまたは複数の通電モジュールのうち少なくとも１つの通電モジュールは、受電部、および、受電部が受けた電力を非接触で供給する本体側送電部を有する本体部と、本体側送電部から供給された電力を非接触で受ける動作側受電部、および、動作側受電部が受けた電力によって充電される蓄電池を有する動作ユニットとを有し、動作ユニットは、本体部から切り離し可能であり、ベースユニットは、複数のモジュールが設置される面において、正面から見て左右方向に複数のモジュールを設置可能であり、かつ、複数のモジュールは、当該複数のモジュールのうち、一つのモジュールが他のモジュール上に再配置可能に設置されることを特徴とするものである。
【手続補正２】
【補正対象書類名】特許請求の範囲
【補正対象項目名】全文
【補正方法】変更
【補正の内容】
【特許請求の範囲】
【請求項１】
ベースユニットと、
第１の送電部から供給される電力を受ける受電部を有する１つまたは複数の通電モジュールを含み、前記ベースユニット上に再配置可能に設置される複数のモジュール
とを備え、
前記１つまたは複数の通電モジュールのうち少なくとも１つの通電モジュールは、前記受電部、および、前記受電部が受けた電力を非接触で供給する本体側送電部を有する本体部と、前記本体側送電部から供給された電力を非接触で受ける動作側受電部、および、前記動作側受電部が受けた電力によって充電される蓄電池を有する動作ユニットとを有し、前記動作ユニットは、前記本体部から切り離し可能であり、
前記ベースユニットは、前記複数のモジュールが設置される面において、正面から見て左右方向に複数のモジュールを設置可能であり、かつ、前記複数のモジュールは、当該複数のモジュールのうち、一つのモジュールが他のモジュール上に再配置可能に設置される
ことを特徴とする電子機器。
【請求項２】
前記ベースユニットは、前記第１の送電部を有する
ことを特徴とする請求項１記載の電子機器。
【請求項３】
前記受電部は、
前記第１の送電部から供給される電力を非接触で受ける
ことを特徴とする請求項１記載の電子機器。
【請求項４】
前記第１の送電部は、前記ベースユニット上に設置されているすべての前記通電モジュールに対して非接触で電力を供給する
ことを特徴とする請求項１記載の電子機器。
【請求項５】
前記通電モジュールは第２の送電部を有し、
前記第１の送電部は、前記ベースユニット上に設置されている前記複数のモジュールのうち、当該ベースユニットと接する通電モジュールである対面通電モジュールに対して非接触で電力を供給し、
前記対面通電モジュールは、前記第１の送電部からの電力を受けると、当該対面通電モジュールと隣接する通電モジュールに対して非接触で電力を供給し、
電力を受けた通電モジュールは、当該電力を受けた通電モジュールと隣接する、電力が供給されていない通電モジュールに対して、非接触で電力を供給する
ことを特徴とする請求項１記載の電子機器。
【請求項６】
前記第１の送電部は、構造物の内部に設けられる
ことを特徴とする請求項１記載の電子機器。
【請求項７】
前記第１の送電部は、前記ベースユニット上において前記複数のモジュールと対向する位置に設けられた給電装置が有する
ことを特徴とする請求項１記載の電子機器。
【請求項８】
前記ベースユニットおよび前記複数のモジュールは、直方体となる形状を有する
ことを特徴とする請求項１記載の電子機器。
【請求項９】
前記ベースユニットおよび前記複数のモジュールは、それぞれ、背面にベースユニット側接続部およびモジュール側接続部を有し、
前記複数のモジュールは、前記ベースユニット側接続部と前記モジュール側接続部とが、接続補助部材によって接続されることで前記ベースユニット上に設置される
ことを特徴とする請求項１記載の電子機器。
【請求項１０】
前記ベースユニットは、前記複数のモジュールのうちの１つまたは複数の前記通電モジュールの動作を制御する制御命令を受け付ける受付部と、前記受付部が受け付けた制御命令に基づき前記通電モジュールの動作を制御する要求処理部とを有し、
前記通電モジュールは、前記要求処理部の制御に基づく動作を実行する動作処理部を有する
ことを特徴とする請求項１記載の電子機器。
【請求項１１】
前記通電モジュールは、前記ベースユニットに対して当該通電モジュール自身の状態に関する情報を送信する情報送信部を有し、
前記ベースユニットは、前記情報送信部から送信された、前記通電モジュールの状態に関する情報を、表示部に表示させる情報処理部を有する
ことを特徴とする請求項１０記載の電子機器。
【請求項１２】
前記受付部は、外部端末からネットワークを介して前記制御命令を受け付ける
ことを特徴とする請求項１０記載の電子機器。
【国際調査報告】
2019069348.tif 000018
2019069348.tif 000019
2019069348.tif 000020
2019069348.tif 000021